【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
デジタルデータを情報記録媒体に書き込んで保存する情報保存装置であって、
保存対象となるデジタルデータを入力するデータ入力部と、
前記デジタルデータを、所定のビット長単位で分割することにより、複数の単位データを生成する単位データ生成部と、
個々の単位データを構成するデータビットを二次元行列状に配置することにより、単位ビット行列を生成する単位ビット行列生成部と、
前記単位ビット行列を、所定のビット記録領域内に配置された幾何学的なパターンに変換することにより単位ビット図形パターンを生成する単位ビット図形パターン生成部と、
前記単位ビット図形パターンに位置合わせマークを付加することにより、単位記録用図形パターンを生成する単位記録用図形パターン生成部と、
前記単位記録用図形パターンを描画するための描画データを生成する描画データ生成部と、
前記描画データに基づいて、情報記録媒体となる基板上に、電子線またはレーザ光を用いたビーム露光を行うビーム露光装置と、
露光を受けた基板に対してパターニング処理を行うことにより、前記描画データに応じた物理的構造パターンが形成された情報記録媒体を生成するパターニング装置と、
を備え、
前記ビーム露光装置が、被成形層とこれを覆うレジスト層とを有する基板に対して、前記レジスト層の表面にビーム露光を行う機能を有し、
前記パターニング装置が、前記レジスト層の露光部または非露光部を溶解する性質をもった現像液に前記基板を含浸させてその一部を残存部とする加工を行う現像処理部と、前記レジスト層の残存部をマスクとして前記被成形層に対するエッチングを行うエッチング処理部と、を有することを特徴とする情報保存装置。
【請求項２】
請求項１に記載の情報保存装置において、
単位ビット図形パターン生成部が、単位ビット行列を構成する個々のビット”１”および個々のビット”０”のうちのいずれか一方を、閉領域からなる個々のビット図形に変換し、
描画データ生成部が、前記個々のビット図形の輪郭線を示す描画データを生成し、
ビーム露光装置が、前記個々のビット図形の輪郭線の内側部分に対してビーム露光を行うことを特徴とする情報保存装置。
【請求項３】
請求項１または２に記載の情報保存装置において、
パターニング装置が、ビット”１”およびビット”０”のいずれか一方を示す凹部と他方を示す凸部とからなる凹凸構造を有する物理的構造パターンを形成することを特徴とする情報保存装置。
【請求項４】
請求項３に記載の情報保存装置において、
パターニング装置が、凹部と凸部のいずれか一方もしくは双方の表面に、光反射性もしくは光吸収性の材料からなる付加層を有する物理的構造パターンを形成することを特徴とする情報保存装置。
【請求項５】
請求項１または２に記載の情報保存装置において、
パターニング装置が、ビット”１”およびビット”０”のいずれか一方を示す貫通孔と他方を示す非孔部とからなる網状構造を有する物理的構造パターンを形成することを特徴とする情報保存装置。
【請求項６】
請求項１〜５のいずれかに記載の情報保存装置において、
単位データ生成部が、デジタルデータを（ｍ×ｎ）ビットからなる単位データに分割し、
単位ビット行列生成部が、ｍ行ｎ列からなる単位ビット行列を生成し、
単位ビット図形パターン生成部が、単位ビット行列を構成する個々のビットをｍ行ｎ列の行列状に配置された格子点に対応づけ、ビット”１”またはビット”０”に対応する格子点上に所定形状のビット図形を配置することにより単位ビット図形パターンを生成することを特徴とする情報保存装置。
【請求項７】
請求項６に記載の情報保存装置において、
単位ビット図形パターン生成部が、矩形状のビット記録領域内に配置された単位ビット図形パターンを生成し、
単位記録用図形パターン生成部が、前記矩形状のビット記録領域の外部に位置合わせマークを付加することにより、前記ビット記録領域および前記位置合わせマークを包含する矩形状の単位記録領域内に配置された単位記録用図形パターンを生成し、
描画データ生成部が、前記矩形状の単位記録領域を二次元行列状に配置することにより、複数の単位記録用図形パターンを含んだ描画用パターンを生成し、当該描画用パターンを描画するための描画データを生成することを特徴とする情報保存装置。
【請求項８】
請求項７に記載の情報保存装置において、
単位記録用図形パターン生成部が、矩形状のビット記録領域の４隅のうちの対角にない２隅の外側近傍に配置された合計２組の位置合わせマークを付加することにより、単位記録用図形パターンを生成することを特徴とする情報保存装置。
【請求項９】
請求項７に記載の情報保存装置において、
単位記録用図形パターン生成部が、矩形状のビット記録領域の４隅のうちの３隅の外側近傍に配置された合計３組の位置合わせマークを付加することにより、単位記録用図形パターンを生成し、かつ、相互に隣接する単位記録用図形パターンについて、３組の位置合わせマークの配置態様を異ならせるようにすることを特徴とする情報保存装置。
【請求項１０】
請求項８または９に記載の情報保存装置において、
単位記録用図形パターン生成部が、特定の単位記録領域を基準単位記録領域に設定し、当該基準単位記録領域については、他の単位記録領域とは異なる基準位置合わせマークを用いた単位記録用図形パターンを生成することを特徴とする情報保存装置。
【請求項１１】
請求項１〜１０のいずれかに記載の情報保存装置において、
データ入力部と、単位データ生成部と、単位ビット行列生成部と、単位ビット図形パターン生成部と、単位記録用図形パターン生成部と、描画データ生成部とを、コンピュータにプログラムを組み込むことにより構成したことを特徴とする情報保存装置。
【請求項１２】
請求項１〜１０のいずれかに記載の情報保存装置における、データ入力部、単位データ生成部、単位ビット行列生成部、単位ビット図形パターン生成部、単位記録用図形パターン生成部および描画データ生成部としてコンピュータを機能させるプログラム。
【請求項１３】
請求項１に記載の情報保存装置を用いて情報記録媒体に保存されたデジタルデータを読み出す情報読出装置であって、
前記情報記録媒体の記録面の一部をなす撮影対象領域を拡大して撮影し、得られた撮影画像を画像データとして取り込む画像撮影装置と、
前記撮影画像を格納する撮影画像格納部と、
前記撮影画像格納部に格納されている撮影画像から位置合わせマークを検出することにより、個々のビット記録領域を認識するビット記録領域認識部と、
前記ビット記録領域内のパターンに基づいて単位ビット行列を認識する単位ビット行列認識部と、
読出対象となるすべてのビット記録領域についての撮影画像が得られるように、前記画像撮影装置による撮影対象領域を変更する制御を行う走査制御部と、
前記単位ビット行列認識部が認識した個々の単位ビット行列から単位データを生成し、個々の単位データを合成することにより、保存対象となったデジタルデータを復元するデータ復元部と、
を備えることを特徴とする情報読出装置。
【請求項１４】
請求項１０に記載の情報保存装置を用いて情報記録媒体に保存されたデジタルデータを読み出す情報読出装置であって、
前記情報記録媒体の記録面の一部をなす撮影対象領域を拡大して撮影し、得られた撮影画像を画像データとして取り込む画像撮影装置と、
前記撮影画像を格納する撮影画像格納部と、
前記撮影画像格納部に格納されている撮影画像から位置合わせマークを検出することにより、個々のビット記録領域を認識するビット記録領域認識部と、
前記ビット記録領域内のパターンに基づいて単位ビット行列を認識する単位ビット行列認識部と、
読出対象となるすべてのビット記録領域についての撮影画像が得られるように、前記画像撮影装置による撮影対象領域を変更する制御を行う走査制御部と、
前記単位ビット行列認識部が認識した個々の単位ビット行列から単位データを生成し、個々の単位データを合成することにより、保存対象となったデジタルデータを復元するデータ復元部と、
を備え、
前記画像撮影装置は、少なくとも１つの単位記録領域を包含可能なサイズの撮影対象領域を撮影する機能を有し、
前記走査制御部は、基準位置合わせマークに基づいて基準単位記録領域を包含する領域の撮影画像が得られるように、前記画像撮影装置に対して撮影対象領域を調整させる制御を行い、その後、単位記録領域の配置ピッチに応じて撮影対象領域を順次移動させる制御を行うことを特徴とする情報読出装置。
【請求項１５】
請求項１３または１４に記載の情報読出装置において、
撮影画像格納部と、ビット記録領域認識部と、単位ビット行列認識部と、走査制御部と、データ復元部とを、コンピュータにプログラムを組み込むことにより構成したことを特徴とする情報読出装置。
【請求項１６】
請求項１３または１４に記載の情報読出装置における、撮影画像格納部、ビット記録領域認識部、単位ビット行列認識部、走査制御部およびデータ復元部としてコンピュータを機能させるプログラム。
【請求項１７】
所定の情報保存方法によって情報記録媒体に保存されたデジタルデータを読み出す情報読出方法であって、
前記所定の情報保存方法は、
コンピュータが、保存対象となるデジタルデータを入力するデータ入力段階と、
コンピュータが、前記デジタルデータを、所定のビット長単位で分割することにより、複数の単位データを生成する単位データ生成段階と、
コンピュータが、個々の単位データを構成するデータビットを二次元行列状に配置することにより、単位ビット行列を生成する単位ビット行列生成段階と、
コンピュータが、前記単位ビット行列を、所定のビット記録領域内に配置された幾何学的なパターンに変換することにより単位ビット図形パターンを生成する単位ビット図形パターン生成段階と、
コンピュータが、前記単位ビット図形パターンに位置合わせマークを付加することにより、単位記録用図形パターンを生成する単位記録用図形パターン生成段階と、
コンピュータが、前記単位記録用図形パターンを描画するための描画データを生成する描画データ生成段階と、
前記描画データに基づいて、情報記録媒体となる基板上に、電子線またはレーザ光を用いたビーム露光を行うビーム露光段階と、
露光を受けた基板に対してパターニング処理を行うことにより、前記描画データに応じた物理的構造パターンが形成された情報記録媒体を生成するパターニング段階と、
を有し、
前記情報読出方法は、
画像撮影装置を用いて、前記情報記録媒体の記録面の一部をなす撮影対象領域を拡大して撮影し、得られた撮影画像を画像データとして取り込む画像撮影段階と、
コンピュータが、前記撮影画像を格納する撮影画像格納段階と、
コンピュータが、前記撮影画像格納段階で格納された撮影画像から位置合わせマークを検出することにより、個々のビット記録領域を認識するビット記録領域認識段階と、
コンピュータが、前記ビット記録領域内のパターンに基づいて単位ビット行列を認識する単位ビット行列認識段階と、
コンピュータが、前記単位ビット行列認識段階で認識した個々の単位ビット行列から単位データを生成し、個々の単位データを合成することにより、保存対象となったデジタルデータを復元するデータ復元段階と、
を有し、
前記画像撮影段階において、コンピュータが、読出対象となるすべてのビット記録領域についての撮影画像が得られるように、前記画像撮影装置による撮影対象領域を変更する制御を行うことを特徴とする情報読出方法。